(57)【要約】【技術課題】  耐久性があり、既存のタイタンパに取り付けて使用できるビーターを提供する。【解決手段】  ビーター３の第２ボルト孔３ｂのところにおいて、幅が大きくなるように膨大部３ｃ、３ｄを形成し、この膨大部３ｃ、３ｄの先にくびれ部４を形成し、このくびれ部４から折り曲げ部３ｇまでをテーパー線３ｅ、３ｆで拡大してビーター幅に戻す。このようにすることで、ビーター３は、第２ボルト孔３ｂの部分が強化された分、強度が増し、耐久性が出る。  また、くびれ部４から先をテーパーで拡大したことにより、振動力が増大され、作業能率が約３割アップする。【選択図】        図１
2005307561.tif 000002
【特許請求の範囲】
【請求項１】
ビーターの第２ボルト孔のところにおいて、ビーター幅が大きくなるように両サイドに膨大部を形成したこと、この膨大部の先においては、ビーター隔より僅かに細幅に形成し、この細幅の部分から所定の位置まではテーパー状に拡大してビーター幅に戻るように形成したこと、を特徴とするタイタンパ用ビーター。
【発明の詳細な説明】
【技術分野】
【０００１】
本発明は、砕石軌道を整備する時に用いられるタイタンパ用ビーターに関する。
【背景技術】
【０００２】
砕石軌道の場合、列車荷重あるいは降雨等の影響で、敷き詰めた砕石間に所定の弾力性が失われるようになったり、左右のレールの間隔、あるいは水平に狂いが生じるようになる。このため、定期的な保線作業が必要になる。
図２は、このような保線作業時に用いられるタイタンパと称される砕石整生機を示すもので、１はタイタンパ、２は駆動部、３は駆動部２で発生した振動を砕石に伝えるビーターである。
このビーター３は、図４に示すように、第２ボルト孔３から刃先３ｂまでの幅Ｗはストレートの長尺鋤状を呈し、刃先に少し角度をつけて砕石中に挿し込み易い形状としてある。そして、このビーター３は、図３に示すように、駆動部２の駆動軸２ａ、２ｂに対して、第１ボルト孔３ａ及び第２ボルト孔３ｂを用いてボルトとナットで取り付けられており、ビーター３が損傷した場合には、駆動軸２ａ、２ｂからボルトとナットを弛めて取り外し、ビーター３だけを交換できるようになっている。
【０００３】
このように、ビーター３だけを交換できる構造としてあるのは、ビーター３を軌道の砕石中に挿し込んで作業を行っていると、このビーター３には相当な荷重がかかり、然も振動荷重も加わることから、図４で云うと第２ボルト孔３ｂの処に応力が集中し、ここに金属疲労が蓄積して、通常は延べ１００〜３００時間使用すると第２ボルト孔３ｂの処で折損している。但し、物によっては１時間位で折損する場合もある。
このため、その都度作業を一旦中止して、ビーター３の交換を行う必要があるが、通常の保線作業は、夜間、列車の通らない僅かな時間で行う必要があることから、折損してもビーター３を交換している暇がない。そこで、ビーター３が折損した場合には、予備に用意したタイタンパごと交換している。このため、作業現場には、予備用として、タイタンパを数台用意しておくため、この予備用タイタンパの運搬等に多くの手間がかかっている。また、折損時にはビーターの一部が飛んでくることがあり、危険である。
勿論、ビーター３全体の強度を増す解決方法も考えられるが、このように強度を増す改良を施すと、ビーター３の重量が増大することから、手作業で行う軌道の整備においては現在の重量が限界である。また、ビーター３を大型化した場合、既存のタイタンパでは振動モーターの負担が大きくなり、規定の振動も出ないことから、タイタンパ自体も大型にしなければならないと云う問題がある。
【発明の開示】
【発明が解決しようとする課題】
【０００４】
本発明の目的は、以上の如き点に鑑みて提供されるものであって、その第１の目的は、従来のビーターとその大きさ、重量が略同一のもので、従来品の３〜５倍の使用時間に耐えられるビーターを提供することである。
更に第２の目的は、既存のタイタンパにそのまま取り付けて用いても、振動モータに対する重荷は同じで、然も従来のビーターよりも振動力をアップすることができるビーターを提供する。
【課題を解決するための手段】
【０００５】
上記目的を達成するため、本発明では、ビーターの長さと幅は基本的には従来品と同一寸法で製作し、第２ボルト孔が位置する部分のビーター幅を、従来のビーター幅より大きくなるように左右の両縁を円弧状に膨大化した。
そして、この膨大化した重量分をビーターから軽減するために、前記円弧が左右の両縁に交わる部分の幅をビーター幅よりもくびれるように小幅に設定し、その上で、この小幅の部分からビーターの先端側に向けて一定の処まで拡大テーパー縁で結び、これにより膨大化して増大した重量分を軽減した点に特徴がある。
ビーターは、既存のタイタンパに取り付けて使用することができる。
【発明の効果】
【０００６】
本発明は以上のように、ビーターにおいて、第２ボルト孔の部分の幅を大きくしたことにより、この分第２ボルト孔の部分の強度が増大し、各種荷重がこの第２ボルト孔の部分に集中しても耐久性は従来品に比較して３〜５倍増大する。この結果、次の効果を奏する。
１．ビーターは、刃先が摩耗して使えなくなるまで殆ど折損しない。
２．夜間、使用台数の３割増のタイタンパを予備として準備しておく必要があったが、１割程度までこの予備台数を減らすことができる。
３．折損する回数が減った分、安全性が増す。
４．ビーターは、幅広にすることで増大した重量を他で減量しているため、総重量は変らない。よって、既存のタイタンパを用いることができる。
５．ビーターは、膨大部の先に細幅部を形成し、ここからテーパー状にビーター幅に戻してあるため、駆動部からの振動がこのテーパー部で拡大されてビーターの刃先の振動力が従来品より増大し、この分作業能率を、約３割アップすることができる。
【実施例】
【０００７】
図１（Ａ）（Ｂ）に本願発明に係るビーターの実施例を示す。ビーター３は、全体は従来品と同一である。また、第１、第２ボルト孔３ａ、３ｂの位置、大きさも従来品と同一である。但し、第２ボルト孔３ｂ付近の幅Ｗ1は、従来品のＷよりも大きくなるように、左右の端縁を円弧状に膨出させることにより、膨大部３ｃ、３ｄが形成されている。膨大部３ｃ、３ｄの長さＬ2は、第２ボルト孔３ｂの少し先でくびれ、このくびれ部４の幅Ｗ2は、従来品の幅Ｗよりも小さくなっていて、ここから先Ｌ3は、緩い角度でのテーパー線３ｅ、３ｆでビーター３の反っている部分Ｌ4の曲げ部３ｇまで拡張されていて、最終的には従来品と同一の幅に戻るように形成されている。Ｌ1は、膨大部３ｃ、３ｄから刃先までの長さである。
なお、上記実施例において、膨大部３ｃ、３ｄの輪郭線の形状は、必ずしも円弧状である必要はない。
上記のように、本実施例のビーター３は、第２ボルト孔３ｂの部分の幅が大きくなった分、強度が増している。また、この強度増に伴う重量増加分は、テーパー線３ｅ、３ｆの部分で軽減し、総重量バランスは従来品と変らないようにしてある。
【図面の簡単な説明】
【０００８】
【図１】（Ａ）は本発明に係るビーターの正面図、（Ｂ）は側面図。
【図２】タイタンパの全体を示す斜視図
【図３】タイタンパの駆動部を示す側面図
【図４】従来のビーターの正面図
【符号の説明】
【０００９】
１  タイタンパ
２  駆動
３  ビーター
【図１】
2005307561.tif 000003
【図２】
2005307561.tif 000004
【図３】
2005307561.tif 000005
【図４】
2005307561.tif 000006